【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
ネットワークを介して画像処理装置と通信可能な情報処理装置であって、
前記画像処理装置の用紙情報を含む機器情報を取得する機器情報取得手段と、
管理者権限を有さないユーザの権限において取得した前記機器情報を、前記機器情報を取得した日時を表す日時情報と共に、ユーザ固有の記録領域に保存する第一保存手段と、
管理者権限を有するユーザの権限において取得した前記機器情報を、前記機器情報を取得した日時を表す日時情報と共に、管理者権限を有さないユーザが読み取り可能な共有記憶領域に保存する第二保存手段と、
前記ユーザ固有の記憶領域に保存されている機器情報と、前記共有記憶領域に保存されている機器情報との内、前記日時情報が新しい方の機器情報を表示装置に表示する表示制御手段と、
を有することを特徴とする情報処理装置。
【請求項２】
前記表示装置に機器情報を表示する際、前記ユーザ固有の記憶領域に保存されている機器情報の日時情報と、前記共有記憶領域に保存されている機器情報の日時情報と、を比較する比較手段と、
前記比較手段における比較の結果、前記共有記憶領域に保存されている機器情報の日時情報が新しいと判断された場合、前記共有記憶領域に保存されている機器情報で前記ユーザ固有の記憶領域に保存されている機器情報を上書きする上書き手段と、
を更に有することを特徴とする請求項１に記載の情報処理装置。
【請求項３】
前記機器情報取得手段は、前記画像処理装置で印刷すべき印刷データを生成するプリンタドライバにより提供される印刷設定画面を介するユーザ操作により用紙情報の取得が指示されることに応じて、画像処理装置の用紙情報を含む機器情報を取得するための要求を前記画像処理装置に対して発行することを特徴とする請求項１又は２に記載の情報処理装置。
【請求項４】
ネットワークを介して画像処理装置と通信可能な情報処理装置であって、
前記画像処理装置の用紙情報を含む機器情報を、前記画像処理装置が付与する日時情報と共に取得する機器情報取得手段と、
管理者権限を有さないユーザの権限において取得した前記機器情報を、前記日時情報と共に、ユーザ固有の記録領域に保存する第一保存手段と、
管理者権限を有するユーザの権限において取得した前記機器情報を、前記日時情報と共に、管理者権限を有さないユーザが読み取り可能な共有記憶領域に保存する第二保存手段と、
前記ユーザ固有の記憶領域に保存されている機器情報と、前記共有記憶領域に保存されている機器情報との内、前記日時情報が新しい方の機器情報を表示装置に表示する表示制御手段と、
を有することを特徴とする情報処理装置。
【請求項５】
ネットワークを介して画像処理装置及びサーバ装置と通信可能な情報処理装置であって、
前記画像処理装置の用紙情報を含む機器情報を、前記画像処理装置が付与する日時情報と共に取得する機器情報取得手段と、
管理者権限を有さないユーザの権限において取得した前記機器情報を、前記日時情報と共に、ユーザ固有の記録領域に保存する保存手段と、
管理者権限を有するユーザの権限において取得される前記機器情報を、前記画像処理装置が付与する日時情報と共に保存するサーバ装置から、前記サーバ装置で管理される機器情報を日時情報と共に取得するサーバ情報取得手段と、
前記ユーザ固有の記憶領域に保存されている機器情報と、前記サーバ情報取得手段により取得される機器情報との内、前記日時情報が新しい方の機器情報を表示装置に表示する表示制御手段と、
を有することを特徴とする情報処理装置。
【請求項６】
ネットワークを介して画像処理装置と通信可能な情報処理装置であって、
前記画像処理装置の用紙情報を含む機器情報を取得する機器情報取得手段と、
管理者権限を有さないユーザの権限において取得した前記機器情報を、ユーザ固有の記録領域に保存する第一保存手段と、
管理者権限を有するユーザの権限において取得した前記機器情報を、管理者権限を有さないユーザが読み取り可能な共有記憶領域に保存する第二保存手段と、
前記第二保存手段で前記共有記憶領域に前記機器情報を保存した回数をカウントして保存する第一カウント手段と、
前記第一保存手段で前記ユーザ固有の記憶領域に前記機器情報を保存する際に、前記第一カウント手段によりカウントされるカウント値に１を加えた数を保存する第二カウント手段と、
前記第二カウント手段により保存される値が、前記第一カウント手段により保存される値よりも大きい場合に、ユーザ固有の記憶領域に保存されている機器情報を表示装置に表示し、前記第二カウント手段により保存される値が、前記第一カウント手段により保存される値よりも大きくない場合に、前記共有記憶領域に保存されている機器情報を表示装置に表示する表示制御手段と、
を有することを特徴とする情報処理装置。
【請求項７】
ネットワークを介して画像処理装置と通信可能な情報処理装置が実行する情報処理方法であって、
前記画像処理装置の用紙情報を含む機器情報を取得する機器情報取得工程と、
管理者権限を有さないユーザの権限において取得した前記機器情報を、前記機器情報を取得した日時を表す日時情報と共に、ユーザ固有の記録領域に保存する第一保存工程と、
管理者権限を有するユーザの権限において取得した前記機器情報を、前記機器情報を取得した日時を表す日時情報と共に、管理者権限を有さないユーザが読み取り可能な共有記憶領域に保存する第二保存工程と、
前記ユーザ固有の記憶領域に保存されている機器情報と、前記共有記憶領域に保存されている機器情報との内、前記日時情報が新しい方の機器情報を表示装置に表示する表示制御工程と、
を有することを特徴とする情報処理方法。
【請求項８】
前記表示装置に機器情報を表示する際、前記ユーザ固有の記憶領域に保存されている機器情報の日時情報と、前記共有記憶領域に保存されている機器情報の日時情報と、を比較する比較工程と、
前記比較工程における比較の結果、前記共有記憶領域に保存されている機器情報の日時情報が新しいと判断された場合、前記共有記憶領域に保存されている機器情報で前記ユーザ固有の記憶領域に保存されている機器情報を上書きする上書き工程と、
を更に有することを特徴とする請求項７に記載の情報処理方法。
【請求項９】
前記機器情報取得工程では、前記画像処理装置で印刷すべき印刷データを生成するプリンタドライバにより提供される印刷設定画面を介するユーザ操作により用紙情報の取得が指示されることに応じて、画像処理装置の用紙情報を含む機器情報を取得するための要求を前記画像処理装置に対して発行することを特徴とする請求項７又は８に記載の情報処理方法。
【請求項１０】
ネットワークを介して画像処理装置と通信可能な情報処理装置が実行する情報処理方法であって、
前記画像処理装置の用紙情報を含む機器情報を、前記画像処理装置が付与する日時情報と共に取得する機器情報取得工程と、
管理者権限を有さないユーザの権限において取得した前記機器情報を、前記日時情報と共に、ユーザ固有の記録領域に保存する第一保存工程と、
管理者権限を有するユーザの権限において取得した前記機器情報を、前記日時情報と共に、管理者権限を有さないユーザが読み取り可能な共有記憶領域に保存する第二保存工程と、
前記ユーザ固有の記憶領域に保存されている機器情報と、前記共有記憶領域に保存されている機器情報との内、前記日時情報が新しい方の機器情報を表示装置に表示する表示制御工程と、
を有することを特徴とする情報処理方法。
【請求項１１】
ネットワークを介して画像処理装置及びサーバ装置と通信可能な情報処理装置が実行する情報処理方法であって、
前記画像処理装置の用紙情報を含む機器情報を、前記画像処理装置が付与する日時情報と共に取得する機器情報取得工程と、
管理者権限を有さないユーザの権限において取得した前記機器情報を、前記日時情報と共に、ユーザ固有の記録領域に保存する保存工程と、
管理者権限を有するユーザの権限において取得される前記機器情報を、前記画像処理装置が付与する日時情報と共に保存するサーバ装置から、前記サーバ装置で管理される機器情報を日時情報と共に取得するサーバ情報取得工程と、
前記ユーザ固有の記憶領域に保存されている機器情報と、前記サーバ情報取得工程により取得される機器情報との内、前記日時情報が新しい方の機器情報を表示装置に表示する表示制御工程と、
を有することを特徴とする情報処理方法。
【請求項１２】
ネットワークを介して画像処理装置と通信可能な情報処理装置が実行する情報処理方法であって、
前記画像処理装置の用紙情報を含む機器情報を取得する機器情報取得工程と、
管理者権限を有さないユーザの権限において取得した前記機器情報を、ユーザ固有の記録領域に保存する第一保存工程と、
管理者権限を有するユーザの権限において取得した前記機器情報を、管理者権限を有さないユーザが読み取り可能な共有記憶領域に保存する第二保存工程と、
前記第二保存工程で前記共有記憶領域に前記機器情報を保存した回数をカウントして保存する第一カウント工程と、
前記第一保存工程で前記ユーザ固有の記憶領域に前記機器情報を保存する際に、前記第一カウント工程によりカウントされるカウント値に１を加えた数を保存する第二カウント工程と、
前記第二カウント工程により保存される値が、前記第一カウント工程により保存される値よりも大きい場合に、ユーザ固有の記憶領域に保存されている機器情報を表示装置に表示し、前記第二カウント工程により保存される値が、前記第一カウント工程により保存される値よりも大きくない場合に、前記共有記憶領域に保存されている機器情報を表示装置に表示する表示制御工程と、
を有することを特徴とする情報処理方法。
【請求項１３】
ネットワークを介して画像処理装置と通信可能なコンピュータに、
前記画像処理装置の用紙情報を含む機器情報を取得する機器情報取得手順と、
管理者権限を有さないユーザの権限において取得した前記機器情報を、前記機器情報を取得した日時を表す日時情報と共に、ユーザ固有の記録領域に保存する第一保存手順と、
管理者権限を有するユーザの権限において取得した前記機器情報を、前記機器情報を取得した日時を表す日時情報と共に、管理者権限を有さないユーザが読み取り可能な共有記憶領域に保存する第二保存手順と、
前記ユーザ固有の記憶領域に保存されている機器情報と、前記共有記憶領域に保存されている機器情報との内、前記日時情報が新しい方の機器情報を表示装置に表示する表示制御手順と、
を実行させることを特徴とするプログラム。
【請求項１４】
前記表示装置に機器情報を表示する際、前記ユーザ固有の記憶領域に保存されている機器情報の日時情報と、前記共有記憶領域に保存されている機器情報の日時情報と、を比較する比較手順と、
前記比較手順における比較の結果、前記共有記憶領域に保存されている機器情報の日時情報が新しいと判断された場合、前記共有記憶領域に保存されている機器情報で前記ユーザ固有の記憶領域に保存されている機器情報を上書きする上書き手順と、
を更に前記コンピュータに実行させることを特徴とする請求項１３に記載のプログラム。
【請求項１５】
前記機器情報取得手順では、前記画像処理装置で印刷すべき印刷データを生成するプリンタドライバにより提供される印刷設定画面を介するユーザ操作により用紙情報の取得が指示されることに応じて、画像処理装置の用紙情報を含む機器情報を取得するための要求を前記画像処理装置に対して発行することを特徴とする請求項１３又は１４に記載のプログラム。
【請求項１６】
ネットワークを介して画像処理装置と通信可能なコンピュータに、
前記画像処理装置の用紙情報を含む機器情報を、前記画像処理装置が付与する日時情報と共に取得する機器情報取得手順と、
管理者権限を有さないユーザの権限において取得した前記機器情報を、前記日時情報と共に、ユーザ固有の記録領域に保存する第一保存手順と、
管理者権限を有するユーザの権限において取得した前記機器情報を、前記日時情報と共に、管理者権限を有さないユーザが読み取り可能な共有記憶領域に保存する第二保存手順と、
前記ユーザ固有の記憶領域に保存されている機器情報と、前記共有記憶領域に保存されている機器情報との内、前記日時情報が新しい方の機器情報を表示装置に表示する表示制御手順と、
を実行させることを特徴とするプログラム。
【請求項１７】
ネットワークを介して画像処理装置及びサーバ装置と通信可能なコンピュータに、
前記画像処理装置の用紙情報を含む機器情報を、前記画像処理装置が付与する日時情報と共に取得する機器情報取得手順と、
管理者権限を有さないユーザの権限において取得した前記機器情報を、前記日時情報と共に、ユーザ固有の記録領域に保存する保存手順と、
管理者権限を有するユーザの権限において取得される前記機器情報を、前記画像処理装置が付与する日時情報と共に保存するサーバ装置から、前記サーバ装置で管理される機器情報を日時情報と共に取得するサーバ情報取得手順と、
前記ユーザ固有の記憶領域に保存されている機器情報と、前記サーバ情報取得手順により取得される機器情報との内、前記日時情報が新しい方の機器情報を表示装置に表示する表示制御手順と、
を実行させることを特徴とするプログラム。
【請求項１８】
ネットワークを介して画像処理装置と通信可能なコンピュータに、
前記画像処理装置の用紙情報を含む機器情報を取得する機器情報取得手順と、
管理者権限を有さないユーザの権限において取得した前記機器情報を、ユーザ固有の記録領域に保存する第一保存手順と、
管理者権限を有するユーザの権限において取得した前記機器情報を、管理者権限を有さないユーザが読み取り可能な共有記憶領域に保存する第二保存手順と、
前記第二保存手順で前記共有記憶領域に前記機器情報を保存した回数をカウントして保存する第一カウント手順と、
前記第一保存手順で前記ユーザ固有の記憶領域に前記機器情報を保存する際に、前記第一カウント手順によりカウントされるカウント値に１を加えた数を保存する第二カウント手順と、
前記第二カウント手順により保存される値が、前記第一カウント手順により保存される値よりも大きい場合に、ユーザ固有の記憶領域に保存されている機器情報を表示装置に表示し、前記第二カウント手順により保存される値が、前記第一カウント手順により保存される値よりも大きくない場合に、前記共有記憶領域に保存されている機器情報を表示装置に表示する表示制御手順と、
を実行させることを特徴とするプログラム。
【手続補正２】
【補正対象書類名】明細書
【補正対象項目名】００１４
【補正方法】変更
【補正の内容】
【００１４】
そこで、本発明は、ネットワークを介して画像処理装置と通信可能な情報処理装置であって、前記画像処理装置の用紙情報を含む機器情報を取得する機器情報取得手段と、管理者権限を有さないユーザの権限において取得した前記機器情報を、前記機器情報を取得した日時を表す日時情報と共に、ユーザ固有の記録領域に保存する第一保存手段と、管理者権限を有するユーザの権限において取得した前記機器情報を、前記機器情報を取得した日時を表す日時情報と共に、管理者権限を有さないユーザが読み取り可能な共有記憶領域に保存する第二保存手段と、前記ユーザ固有の記憶領域に保存されている機器情報と、前記共有記憶領域に保存されている機器情報との内、前記日時情報が新しい方の機器情報を表示装置に表示する表示制御手段と、を有することを特徴とする。
【手続補正３】
【補正対象書類名】明細書
【補正対象項目名】００１６
【補正方法】変更
【補正の内容】
【００１６】
また、本発明は、ネットワークを介して画像処理装置及びサーバ装置と通信可能な情報処理装置であって、前記画像処理装置の用紙情報を含む機器情報を、前記画像処理装置が付与する日時情報と共に取得する機器情報取得手段と、管理者権限を有さないユーザの権限において取得した前記機器情報を、前記日時情報と共に、ユーザ固有の記録領域に保存する保存手段と、管理者権限を有するユーザの権限において取得される前記機器情報を、前記画像処理装置が付与する日時情報と共に保存するサーバ装置から、前記サーバ装置で管理される機器情報を日時情報と共に取得するサーバ情報取得手段と、前記ユーザ固有の記憶領域に保存されている機器情報と、前記サーバ情報取得手段により取得される機器情報との内、前記日時情報が新しい方の機器情報を表示装置に表示する表示制御手段と、を有することを特徴とする情報処理装置。